(57)【要約】【課題】高音の音声と低音の振動とが人に伝わるタイミングを一致させ、いっそう臨場感のある快適な音声信号を再生することができる音声再生装置およびアダプタを提供する。【解決手段】体感モードが選択されたときには、ＤＳＰ１２では、入力されたＬｃｈ信号およびＲｃｈ信号を加算器４１により加算し、ローパスフィルタ４２により音声信号に含まれる低周波成分を取り出し、ＭＢＳ信号としてＭＢＳアンプ１４に出力する。一方、入力されたＬｃｈおよびＲｃｈ信号が同時刻のＭＢＳ信号より遅れて出力されるように、入力されたＬｃｈおよびＲｃｈ信号を遅延回路２１および３１により遅延させ、Ｌ−Ｒアンプ１３に出力する。【選択図】        図２
2006033591.tif 000002
【特許請求の範囲】
【請求項１】
音声信号を再生する再生手段と、
前記再生手段により再生された音声信号を増幅する高周波増幅器と、
前記高周波増幅器により増幅された音声信号を出力する高周波出力端子と、
前記再生手段により再生された音声信号に含まれる低周波数成分を取り出すローパスフィルタと、
前記ローパスフィルタにより取り出された低周波成分の音声信号を増幅する低周波増幅器と、
前記低周波増幅器により増幅された低周波成分の音声信号を出力する低周波出力端子とを備えた音声再生装置であって、
前記再生手段と前記高周波増幅器との間に設けられ、前記高周波出力端子を通して出力される音声信号が前記低周波出力端子を通して出力される同時刻の低周波成分の音声信号より遅れて出力されるよう、前記再生手段により再生された音声信号を遅延させて出力する遅延手段を有する、
ことを特徴とする音声再生装置。
【請求項２】
前記遅延手段は、前記再生手段により再生された音声信号を前記同時刻の低周波成分の音声信号より遅延させる遅延時間を調整する遅延時間調整手段を有することを特徴とする請求項１記載の音声再生装置。
【請求項３】
前記遅延時間調整手段は、前記音声再生装置の使用者により前記遅延時間が調整される遅延時間入力手段を有することを特徴とする請求項２記載の音声再生装置。
【請求項４】
前記音声再生装置に電源を供給する交換可能な主電池および交換可能な補助電池を有することを特徴とする請求項１項記載の音声再生装置。
【請求項５】
前記音声再生装置は、
前記再生手段、前記遅延手段、前記高周波増幅器、前記高周波出力端子、前記ローパスフィルタ、前記低周波増幅器、前記低周波出力端子および前記主電池が設けられた本体と、
前記本体に着脱自在に装着され、前記補助電池が設けられたケーシングとからなることを特徴とする請求項４記載の音声再生装置。
【請求項６】
前記音声再生装置は、
前記再生手段、前記遅延手段、前記高周波増幅器、前記高周波出力端子、前記ローパスフィルタ、前記低周波出力端子および前記主電池が設けられた本体と、
前記本体に着脱自在に装着され、前記低周波増幅器および前記補助電池が設けられたケーシングとからなることを特徴とする請求項４記載の音声再生装置。
【請求項７】
前記音声再生装置は、
前記再生手段、前記遅延手段、前記高周波増幅器、前記高周波出力端子、前記低周波出力端子および前記主電池が設けられた本体と、
前記本体に着脱自在に装着され、前記ローパスフィルタ、前記低周波増幅器および前記補助電池が設けられたケーシングとからなることを特徴とする請求項４記載の音声再生装置。
【請求項８】
前記音声再生装置は、
前記再生手段、前記高周波増幅器、前記高周波出力端子、前記低周波出力端子および前記主電池が設けられた本体と、
前記本体に着脱自在に装着され、前記遅延手段、前記ローパスフィルタ、前記低周波増幅器および前記補助電池が設けられたケーシングとからなることを特徴とする請求項４記載の音声再生装置。
【請求項９】
前記低周波出力端子を通して音声信号を出力させず、前記高周波出力端子を通して音声信号を出力させる通常モードと、前記高周波出力端子および前記低周波出力端子を通して音声信号を出力させる体感モードとのいずれか一方の動作モードを選択するモード選択手段を有することを特徴とする請求項４記載の音声再生装置。
【請求項１０】
前記通常モードおよび前記体感モードのいずれか一方の動作モードを選択する選択情報を入力する選択情報入力手段を有し、
前記モード選択手段は、前記選択情報入力手段により入力された選択情報に従って前記通常モードおよび前記体感モードのいずれか一方の動作モードを選択することを特徴とする請求項９記載の音声再生装置。
【請求項１１】
前記補助電池は、前記モード選択手段により前記体感モードが選択されたとき、電源を供給することを特徴とする請求項９記載の音声再生装置。
【請求項１２】
前記補助電池は、前記モード選択手段により前記通常モードが選択されたとき、電源の供給を停止することを特徴とする請求項９記載の音声再生装置。
【請求項１３】
前記補助電池の電圧を検出する電圧検出手段と、
前記電圧検出手段により検出された電圧をしきい値と比較する比較する電圧比較手段とを有し、
前記モード選択手段は、前記電圧比較手段の比較情報が前記電圧検出手段により検出された電圧がしきい値より小さい場合、前記通常モードを選択し、
前記補助電池は、前記モード選択手段により前記通常モードが選択されたとき、電源の供給を停止することを特徴とする請求項９記載の音声再生装置。
【請求項１４】
前記遅延手段と前記高周波増幅器との間に設けられ、前記ローパスフィルタにより取り出される低周波成分より高い周波数成分の音声信号を前記遅延手段により出力された音声信号から取り出し、前記高周波増幅器に出力するハイパスフィルタを有することを特徴とする請求項１記載の音声再生装置。
【請求項１５】
前記再生手段と前記遅延手段との間に設けられ、前記ローパスフィルタにより取り出される低周波成分より高い周波数成分の音声信号を前記再生手段により再生された音声信号から取り出し、前記遅延手段に出力するハイパスフィルタを有することを特徴とする請求項１記載の音声再生装置。
【請求項１６】
前記遅延手段と前記高周波増幅器との間に設けられ、前記ローパスフィルタにより取り出される低周波成分より高い周波数成分の音声信号を前記遅延手段により出力された音声信号から取り出し、前記高周波増幅器に出力するハイパスフィルタと、
前記遅延手段と前記高周波増幅器との間に設けられ、前記遅延手段により出力された音声信号を前記ハイパスフィルタを介して前記高周波増幅器に出力する第１の経路と、前記遅延手段により出力された音声信号を前記ハイパスフィルタを介さずに前記高周波増幅器に出力する第２の経路とを切り換える切り換え手段とを有し、
前記切り替え手段は、前記モード選択手段により体感モードが選択された場合、前記第１の経路を選択し、前記モード選択手段により通常モードが選択された場合、前記第２の経路を選択することを特徴とする請求項９記載の音声再生装置。
【請求項１７】
前記再生手段と前記遅延手段との間に設けられ、前記ローパスフィルタにより取り出される低周波成分より高い周波数成分の音声信号を前記再生手段により再生された音声信号から取り出し、前記遅延手段に出力するハイパスフィルタと、
前記再生手段と前記遅延手段との間に設けられ、前記再生手段により出力された音声信号を前記ハイパスフィルタを介して前記遅延手段に出力する第１の経路と、前記再生手段により再生された音声信号を前記ハイパスフィルタを介さずに前記遅延手段に出力する第２の経路とを切り換える切り換え手段とを有し、
前記切り換え手段は、前記モード選択手段により体感モードが選択された場合、前記第１の経路を選択し、前記モード選択手段により通常モードが選択された場合、前記第２の経路を選択することを特徴とする請求項９記載の音声再生装置。
【請求項１８】
音声出力装置により出力された音声信号を入力する音声信号入力端子と、
前記音声信号入力端子を通して入力された音声信号を前記音声出力装置に出力する高周波出力端子と、
前記音声信号入力端子を通して入力された音声信号に含まれる低周波数成分を取り出すローパスフィルタと、
前記ローパスフィルタにより取り出された低周波成分の音声信号を増幅する低周波増幅器と、
前記低周波増幅器により増幅された低周波成分の音声信号を前記音声出力装置に出力する低周波出力端子とを備え、
前記音声再生装置に着脱自在に装着されるアダプタであって、
前記音声信号入力端子と前記高周波出力端子との間に設けられ、前記高周波出力端子を通して出力される音声信号が前記低周波出力端子を通して出力される同時刻の低周波成分の音声信号より遅れて出力されるよう、前記音声信号入力端子を通して入力された音声信号を遅延させて出力する遅延手段を有する、
ことを特徴とするアダプタ。
【請求項１９】
前記遅延手段は、前記音声信号入力端子を通して入力された音声信号を前記同時刻の低周波成分の音声信号より遅延させる遅延時間を調整する遅延時間調整手段を有することを特徴とする請求項１８記載のアダプタ。
【請求項２０】
前記遅延時間を調整する遅延時間調整信号を前記音声再生装置から入力する遅延時間調整信号入力手段を有し、
前記遅延時間調整手段は、前記遅延時間調整信号入力手段により入力された前記遅延時間調整信号に従って前記遅延時間を調整することを特徴とする請求項１９記載のアダプタ。
【請求項２１】
前記音声再生装置に電源を供給する交換可能な補助電池を有することを特徴とする請求項１８記載のアダプタ。
【請求項２２】
前記低周波出力端子を通して音声信号を出力させず、前記高周波出力端子を通して音声信号を出力させる通常モードと、前記高周波出力端子および前記低周波出力端子を通して音声信号を出力させる体感モードとのいずれか一方の動作モードを選択するモード選択手段を有することを特徴とする請求項１８記載のアダプタ。
【請求項２３】
前記通常モードおよび前記体感モードのいずれか一方の動作モードを選択する選択信号を前記音声再生装置から入力する選択信号入力手段を有し、
前記モード選択手段は、前記選択信号入力手段により入力された選択情報に従って前記通常モードおよび前記体感モードのいずれか一方の動作モードを選択することを特徴とする請求項２２記載のアダプタ。
【請求項２４】
前記モード選択手段は、前記アダプタが前記音声再生装置に装着されたとき、前記体感モードを選択することを特徴とする請求項２２記載のアダプタ。
【請求項２５】
前記補助電池は、前記モード選択手段により前記体感モードが選択されたとき、電源を供給することを特徴とする請求項２２記載のアダプタ。
【請求項２６】
前記補助電池は、前記モード選択手段により前記通常モードが選択されたとき、電源の供給を停止することを特徴とする請求項２２記載のアダプタ。
【請求項２７】
前記補助電池の電圧を出力する電圧出力端子と、
前記電圧出力端子を通して出力された前記補助電池の電圧に基づいて前記補助電池による電源の供給を停止する電源供給停止信号を入力する電源供給停止信号入力手段とを有し、
前記モード選択手段は、前記電源供給停止信号入力手段により前記電源供給停止信号が入力されたとき、前記通常モードを選択し、
前記補助電池は、前記モード選択手段により前記通常モードが選択されたとき、電源の供給を停止することを特徴とする請求項２２記載のアダプタ。
【請求項２８】
前記遅延手段と前記高周波出力端子との間に設けられ、前記ローパスフィルタにより取り出される低周波成分より高い周波数成分の音声信号を前記遅延手段により出力された音声信号から取り出し、前記高周波出力端子に出力するハイパスフィルタを有することを特徴とする請求項１８項記載のアダプタ。
【請求項２９】
前記音声信号入力端子と前記遅延手段との間に設けられ、前記ローパスフィルタにより取り出される低周波成分より高い周波数成分の音声信号を前記音声信号入力端子を通して入力された音声信号から取り出し、前記遅延手段に出力するハイパスフィルタを有することを特徴とする請求項１８記載のアダプタ。
【請求項３０】
前記遅延手段と前記高周波出力端子との間に設けられ、前記ローパスフィルタにより取り出される低周波成分より高い周波数成分の音声信号を前記遅延手段により出力された音声信号から取り出し、前記高周波出力端子に出力するハイパスフィルタと、
前記遅延手段と前記高周波出力端子との間に設けられ、前記遅延手段により出力された音声信号を前記ハイパスフィルタを介して前記高周波出力端子に出力する第１の経路と、
前記遅延手段により出力された音声信号を前記ハイパスフィルタを介さずに前記高周波増幅器に出力する第２の経路とを切り換える切り換え手段とを有し、
前記切り替え手段は、前記モード選択手段により体感モードが選択された場合、前記第１の経路を選択し、前記モード選択手段により通常モードが選択された場合、前記第２の経路を選択することを特徴とする請求項２２項記載のアダプタ。
【請求項３１】
前記音声信号入力端子と前記遅延手段との間に設けられ、前記ローパスフィルタにより取り出される低周波成分より高い周波数成分の音声信号を前記音声信号入力端子を通して入力された音声信号から取り出し、前記遅延手段に出力するハイパスフィルタと、
前記音声信号入力端子と前記遅延手段との間に設けられ、前記音声信号入力端子を通して入力された音声信号を前記ハイパスフィルタを介して前記遅延手段に出力する第１の経路と、前記音声信号入力端子を通して入力された音声信号を前記ハイパスフィルタを介さずに前記遅延手段に出力する第２の経路とを切り換える切り換え手段とを有し、
前記切り換え手段は、前記モード選択手段により体感モードが選択された場合、前記第１の経路を選択し、前記モード選択手段により通常モードが選択された場合、前記第２の経路を選択することを特徴とする請求項２２項記載のアダプタ。
【請求項３２】
音声出力装置により出力された音声信号を入力する音声信号入力端子と、
前記音声信号入力端子を通して入力された音声信号を増幅する高周波増幅器と、
前記高周波増幅器により増幅された音声信号を出力する高周波出力端子と、
前記音声信号入力端子を通して入力された音声信号に含まれる低周波数成分を取り出すローパスフィルタと、
前記ローパスフィルタにより取り出された低周波成分の音声信号を増幅する低周波増幅器と、
前記低周波増幅器により増幅された低周波成分の音声信号を出力する低周波出力端子とを備え、
前記音声再生装置に着脱自在に装着されるアダプタであって、
前記音声信号入力端子と前記高周波増幅器との間に設けられ、前記高周波出力端子を通して出力される音声信号が前記低周波出力端子を通して出力される同時刻の低周波成分の音声信号より遅れて出力されるよう、前記音声信号入力端子を通して入力された音声信号を遅延させて出力する遅延手段を有する、
ことを特徴とするアダプタ。
【発明の詳細な説明】
【技術分野】
【０００１】
本発明は、音声信号に含まれる低周波成分を取り出して出力する音声再生装置および音声再生装置に着脱自在に装着されるアダプタに関する。
【背景技術】
【０００２】
従来、音声信号に含まれる低周波成分を取り出し、取り出された低周波成分の音声信号を振動装置により機械的な振動に変換し、人の皮膚を介して低音を体感させる音声再生装置が知られている。このような音声再生装置は、ヘッドホンに振動装置を内蔵したもの（特許文献１）や、加振器により床等を振動させたもの（特許文献２）、パーソナルコンピュータのマウスに加振器を内蔵したもの（特許文献３）、携帯電話に加振器を内蔵したもの（特許文献４）等、様々な分野に利用されている。
【特許文献１】特開平７−２８８８８７号公報
【特許文献２】実開昭６０−１６０６８５号公報
【特許文献３】特開２００１−１７７８８７号公報
【特許文献４】特開２００１−３０９４７２号公報
【発明の開示】
【発明が解決しようとする課題】
【０００３】
しかしながら、従来の音声再生装置では、高周波成分（高音）の音声をヘッドホン、イヤホン等で聞きながら、低周波成分（低音）の振動を振動装置により体感すると、低音の振動が高音の音に対して遅れるような感じがしていた。この現象は、音声の出力に対し振動装置の出力の立ち上がりが遅れるからと考えられ、また、枕やクッション等、振動装置が収納されるものによっても振動装置の振動が人に伝わる時間が変ることによるものと考えられた。
【０００４】
本発明は、このような事情に鑑みなされたものであり、その目的は、高音の音声と低音の振動とが人に伝わるタイミングを一致させ、いっそう臨場感のある快適な音声信号を再生することができる音声再生装置およびアダプタを提供するにある。
【課題を解決するための手段】
【０００５】
上記目的を達成するため、本発明の音声再生装置は、音声信号を再生する再生手段と、前記再生手段により再生された音声信号を増幅する高周波増幅器と、前記高周波増幅器により増幅された音声信号を出力する高周波出力端子と、前記再生手段により再生された音声信号に含まれる低周波数成分を取り出すローパスフィルタと、前記ローパスフィルタにより取り出された低周波成分の音声信号を増幅する低周波増幅器と、前記低周波増幅器により増幅された低周波成分の音声信号を出力する低周波出力端子とを備え、主電池により供給される電源により駆動される音声再生装置であって、前記再生手段と前記高周波増幅器との間に設けられ、前記高周波出力端子を通して出力される音声信号が前記低周波出力端子を通して出力される同時刻の低周波成分の音声信号より遅れて出力されるよう、前記再生手段により再生された音声信号を遅延させて出力する遅延手段を有することを特徴とする。
また、本発明のアダプタは、音声出力装置により出力された音声信号を入力する音声信号入力端子と、前記音声信号入力端子を通して入力された音声信号を前記音声出力装置に出力する高周波出力端子と、前記音声信号入力端子を通して入力された音声信号に含まれる低周波数成分を取り出すローパスフィルタと、前記ローパスフィルタにより取り出された低周波成分の音声信号を増幅する低周波増幅器と、前記低周波増幅器により増幅された低周波成分の音声信号を前記音声出力装置に出力する低周波出力端子とを備え、前記音声再生装置に着脱自在に装着されるアダプタであって、前記音声信号入力端子と前記高周波出力端子との間に設けられ、前記高周波出力端子を通して出力される音声信号が前記低周波出力端子を通して出力される同時刻の低周波成分の音声信号より遅れて出力されるよう、前記音声信号入力端子を通して入力された音声信号を遅延させて出力する遅延手段を有することを特徴とする。
また、本発明のアダプタは、音声出力装置により出力された音声信号を入力する音声信号入力端子と、前記音声信号入力端子を通して入力された音声信号を増幅する高周波増幅器と、前記高周波増幅器により増幅された音声信号を出力する高周波出力端子と、前記音声信号入力端子を通して入力された音声信号に含まれる低周波数成分を取り出すローパスフィルタと、前記ローパスフィルタにより取り出された低周波成分の音声信号を増幅する低周波増幅器と、前記低周波増幅器により増幅された低周波成分の音声信号を出力する低周波出力端子とを備え、前記音声再生装置に着脱自在に装着されるアダプタであって、前記音声信号入力端子と前記高周波増幅器との間に設けられ、前記高周波出力端子を通して出力される音声信号が前記低周波出力端子を通して出力される同時刻の低周波成分の音声信号より遅れて出力されるよう、前記音声信号入力端子を通して入力された音声信号を遅延させて出力する遅延手段を有することを特徴とする。
【発明の効果】
【０００６】
本発明の音声再生装置によれば、前記高周波出力端子を通して出力される音声信号が前記低周波出力端子を通して出力される同時刻の低周波成分の音声信号より遅れて出力されるよう、前記再生手段により再生された音声信号を前記遅延手段により遅延し出力する。
したがって、高音の音声と低音の振動とが人に伝わるタイミングを一致させ、いっそう臨場感のある快適な音声信号を再生することができる。
本発明のアダプタによれば、前記高周波出力端子を通して出力される音声信号が前記低周波出力端子を通して出力される同時刻の低周波成分の音声信号より遅れて出力されるよう、前記再生手段により再生された音声信号を前記遅延手段により遅延し出力する。
したがって、高音の音声と低音の振動とが人に伝わるタイミングを一致させ、いっそう臨場感のある快適な音声信号を再生することができる。また、アダプタは、音声再生装置に着脱自在に装着されるので、音楽を聴く等の必要な場合に、本発明のアダプタを使用することができる。
本発明のアダプタによれば、前記高周波出力端子を通して出力される音声信号が前記低周波出力端子を通して出力される同時刻の低周波成分の音声信号より遅れて出力されるよう、前記再生手段により再生された音声信号を前記遅延手段により遅延し出力する。
したがって、高音の音声と低音の振動とが人に伝わるタイミングを一致させ、いっそう臨場感のある快適な音声信号を再生することができる。また、アダプタは、音声再生装置に着脱自在に装着されるので、音楽を聴く等の必要な場合に、本発明のアダプタを使用することができる。
さらに、音声信号入力端子、高周波増幅器、高周波出力端子、低周波増幅器および低周波出力端子を有するので、低周波成分の音声出力を有しない従来の音声再生装置に本発明のアダプタを装着し、低音の振動を再生することが可能となる。
【発明を実施するための最良の形態】
【０００７】
高音の音声と低音の振動とが人に伝わるタイミングを一致させ、いっそう臨場感のある快適な音声信号を再生することができる音声再生装置およびアダプタを提供するため、高周波出力端子を通して出力される音声信号が低周波出力端子を通して出力される同時刻の低周波成分の音声信号より遅れて出力されるよう、再生手段により再生された音声信号を遅延させる遅延手段を設ける。
【実施例１】
【０００８】
以下、本発明の実施例１の音声再生装置およびアダプタについて図面を参照して説明する。
図１は、実施例１の音声再生装置の概略構成を示す図である。
図１に示すように、実施例１の音声再生装置は、いわゆる携帯型の音声再生プレーヤであり、記録メディア３、信号処理ＩＣ１０、ＣＰＵ１１、ＤＳＰ（Digital Signal Processor）１２、Ｒ−Ｌアンプ１３、ＭＢＳ（mobile body sonic）アンプ１４、ジャック１５、操作表示部１６、主電池１７およびＭＢＳ電池１８を備える。記録メディア３、信号処理ＩＣ１０、ＣＰＵ１１、ＤＳＰ（Digital Signal Processor）１２、Ｌ−Ｒアンプ１３、ＭＢＳ（mobile body sonic）アンプ１４、ジャック１５、操作表示部１６および主電池１７は、本体１に設けられ、ＭＢＳ電池１８は、本体１に着脱自在に装着されるケーシング２に設けられている。
【０００９】
記録メディア３は、例えばＣＤ（Compact Disc）、ＭＤ（Mini Disc）、カセットテープ、ＨＤＤオーディオレコーダ、シリコンオーディオプレーヤからなり、記録メディア３には、ＬｃｈおよびＲｃｈのステレオ音声信号が記録されている。
ＣＰＵ１１は、操作表示部１６からの制御命令に従って本装置全体を制御する。信号処理ＩＣ１０は、記録メディア３に記録されたＬｃｈおよびＲｃｈのステレオ音声信号を読み出し、これらの信号に増幅、ＡＤ変換等の種々の信号処理を施し、ＤＳＰ１２に出力する。ＤＳＰ１２は、入力されたＬｃｈおよびＲｃｈのステレオ音声信号からＭＢＳ信号を取り出し、これらの信号にそれぞれ種々の信号処理を施し出力する。ここで、ＬｃｈおよびＲｃｈ信号は、従来良く知られるステレオ信号である。ＭＢＳ信号は、ＬｃｈおよびＲｃｈ信号に含まれる低周波成分の信号である。
【００１０】
Ｌ−Ｒアンプ１３は、ＤＳＰ１２により出力されたＬｃｈおよびＲｃｈ信号をそれぞれ増幅し、ジャック１５に出力する。ＭＢＳアンプ１５は、ＤＳＰ１２により出力されたＭＢＳ信号を増幅し、ジャック１５に出力する。ジャック１５は、Ｌｃｈ、Ｒｃｈ、ＭＢＳ信号およびＧＮＤ信号のそれぞれを出力する複数の出力端子からなる。操作表示部１６は、使用者の操作情報を入力するとともに、前記操作情報に基づく本装置の設定情報や状態情報を表示する。Ｌ−Ｒアンプ１３およびＭＢＳアンプ１５のゲインは、操作表示部１６の操作によりそれぞれ調整され、いわゆるボリューム調整が行なわれる。
【００１１】
主電池１７は、本装置に電源を供給する交換可能な電池である。ＭＢＳ電池１８は、本装置に電源を供給する交換可能な補助電池であり、後述する体感モードが選択されたときに使用される。主電池１７およびＭＢＳ電池１８の出力電圧は、ＣＰＵ１１により監視され、それぞれの出力電圧がそれぞれのしきい値より小さくなったとき、それぞれの電池の交換を促す電池交換情報が操作表示部１６により表示される。
【００１２】
この音声再生装置には、ＬｃｈおよびＲｃｈ信号を出力する通常モードと、Ｌｃｈ、ＲｃｈおよびＭＢＳ信号を出力する体感モードとの２つの動作モードが設けられている。電源の投入時には、通常モードが選択されており、操作表示部１６により必要に応じて体感モードを選択するようになっている。通常モードが選択されたときには、ＭＢＳ電池１８による電源の供給は行なわず、体感モードが選択されたときには、ＭＢＳ電池１８による電源の供給を行う。
【００１３】
また、ＣＰＵ１１によりＭＢＳ電池１８の出力電圧を監視し、出力電圧がしきい値より小さくなったとき、体感モードから通常モードに強制的に切り換えられ、通常モードであるモード情報および電池交換情報が操作表示部１６により表示される。また、体感モードは、操作表示部１６によらずに、ケーシング２が本体１に装着されたとき、自動的に選択するように構成することもできる。具体的には、ＣＰＵ１１によりＭＢＳ電池１８の出力電圧を監視し、出力電圧がしきい値以上のとき、通常モードから体感モードに強制的に切り換える。
【００１４】
図２は、図１に示されるＤＳＰの要部構成を示す図である。
図２に示すように、ＤＳＰ１２は、遅延回路２１、スイッチ２２、ハイパスフィルタ２３、スイッチ２４、遅延回路３１、スイッチ３２、ハイパスフィルタ３３、スイッチ３４、加算器４１およびローパスフィルタ４２を実現する。
【００１５】
遅延回路２１および加算器４１には、ＤＳＰ１２により分離されたＬｃｈ信号が入力される。遅延回路３１および加算器４１には、ＤＳＰ１２により分離されたＲｃｈ信号が入力される。加算器４１は、入力されたＬｃｈ信号およびＲｃｈ信号を加算してローパスフィルタ４２に出力する。ローパスフィルタ４２は、加算器４１により出力された音声信号に含まれる低周波成分の音声信号を取り出し、取り出され音声信号をＭＢＳ信号として図１に示されるＭＢＳアンプ１４に出力する。
【００１６】
遅延回路２１は、ジャック１５から出力されるＬｃｈ信号が同時刻のＭＢＳ信号より遅れて出力されるよう、入力されたＬｃｈ信号を遅延させて出力する。スイッチ２２および２４は、通常モードが選択された場合には、遅延回路２１により出力されたＬｃｈ信号をハイパスフィルタ２３を介さずにＬ−Ｒアンプ１３に出力し、体感モードが選択された場合には、遅延回路２１により出力されたＬｃｈ信号をハイパスフィルタ２３を介してＬ−Ｒアンプ１３に出力する。ハイパスフィルタ２３は、ローパスフィルタ４２により取り出される低周波成分より高い周波数成分の音声信号を入力されたＬｃｈ信号から取り出し出力する。
【００１７】
遅延回路３１は、入力されたＲｃｈ信号を遅延回路２１と同時間遅延させて出力する。スイッチ３２および３４は、通常モードが選択された場合には、遅延回路３１により出力されたＲｃｈ信号をハイパスフィルタ３３を介さずにＬ−Ｒアンプ１３に出力し、体感モードが選択された場合には、遅延回路３１により出力されたＬｃｈ信号をハイパスフィルタ３３を介してＬ−Ｒアンプ１３に出力する。ハイパスフィルタ３３は、ローパスフィルタ４２により取り出される低周波成分より高い周波数成分の音声信号を入力されたＲｃｈ信号から取り出し出力する。遅延回路２１および３１の遅延時間は、操作表示部１６の操作により調整されるようになっている。
【００１８】
図３は、ヘッドホンの構成を示す図である。図４は、図３に示されるプラグの構成を示す図である。
図３に示すように、このヘッドホン５０は、図１に示されるジャック１５に接続されるプラグ５１を備える。図４に示すように、プラグ５１は、Ｌｃｈ信号を入力するＬｃｈ接続端子部６１、Ｒｃｈ信号を入力するＬｃｈ接続端子部６２、ＭＢＳ信号を入力するＭＢＳ接続端子部６３およびＧＮＤ信号を入力するＧＮＤ接続端子部６４の４端子構造の接続端子である。
【００１９】
プラグ５１に入力されたＬｃｈ信号、Ｒｃｈ信号およびＭＢＳ信号は、それぞれＬｃｈスピーカ５２、Ｒｃｈスピーカ５３およびトランスデューサ５４に出力される。Ｌｃｈスピーカ５２は、入力されたＬｃｈ信号に従ってＬｃｈの音声を出力する。Ｒｃｈスピーカ５２は、入力されたＲｃｈ信号に従ってＲｃｈの音声を出力する。トランスデューサ５４は、入力されたＭＢＳ信号を機械的振動に変換する。
【００２０】
図５は、図３に示されるトランスデューサの構成を示す図であり、図５（ａ）はその平面図、図５（ｂ）は、図５（ａ）のＡ−Ａ断面図である。
図５に示すように、トランスデューサ５４は、磁石７１、コイル７２、板バネ７３および板バネ７４を備える。磁石７１は、円柱状の永久磁石からなり、板バネ７３を介して上蓋７５に支持されている。コイル７２は、磁石７１の周囲を囲むように近接し、磁石７１の中心軸と同じ中心軸を有する円筒状のコイルであり、その外周部は、磁石７１およびコイル７２を収納する基台７６の側面部７６ａに固定され支持されている。基台７６内部のコイル７２の下方には、その一端が基台７６の底部７６ｂに固定され、その他端が磁石７１に接する板バネ７４が設けられている。板バネ７３および７４は、上蓋７５および基台７６で規制される範囲内で磁石７１が前記軸方向に往復動するように磁石７１を付勢する。
【００２１】
図６（ａ）は、図５に示されるトランスデューサの等価回路を示す図、図６（ｂ）は、その周波数特性を示す図である。
コイル７２にＭＢＳ信号が与えられ、電流が流れると、コイル７２と磁石７１との間に力が生じ、板バネ７３および７４を変形させる。これにより、コイル７２と磁石７１との間の前記軸方向の相対距離が変化する。コイル７２に供給されるＭＢＳ信号は、交流信号であるため、磁石７１は軸方向に振動し、トランスデューサ５４を振動させる。トランスデューサ５４は、その重量および周波数応答を考慮すると、１０Ｈｚ〜１８０Ｈｚ程度の振動を再生するのが好ましい。
【００２２】
トランスデューサ５４は、例えば、図示しない袋（enclosure）に収納されて使用される。袋には、例えば、衣服に取り付けられるように一対のマジックテープ(登録商標)のうちの一方のマジックテープ(登録商標)が縫製されている。
【００２３】
次に、実施例１の音声再生装置の動作を説明する。
通常モードのときには、主電池１７により供給される電源で音声再生装置が駆動される。ＤＳＰ１２では、入力されたＬｃｈ信号が遅延回路２１により遅延され、スイッチ２２および２３によりハイパスフィルタ２３を介さすにＬ−Ｒアンプ１３に出力され、入力されたＲｃｈ信号が遅延回路３１により遅延され、スイッチ３２および３３によりハイパスフィルタ３３を介さすにＬ−Ｒアンプ１３に出力される。
【００２４】
そして、Ｌ−Ｒアンプ１３によりＬｃｈおよびＲｃｈ信号のそれぞれが増幅され、ジャック１５から出力される。これにより、従来と同様のステレオ音声がヘッドホン５０により出力される。このとき、ＤＳＰ１２の加算器４１は動作せず、ＭＢＳ信号は出力されない。
【００２５】
体感モードが選択されると、ＭＢＳ電池１８により電源が供給され、音声再生装置が駆動される。ＤＳＰ１２では、入力されたＬｃｈ信号とＲｃｈ信号とが加算器４１により加算され、ローパスフィルタ４２により音声信号に含まれる低周波成分が取り出され、ＭＢＳ信号としてＭＢＳアンプ１４に出力される。
【００２６】
また、入力されたＬｃｈ信号が同時刻のＭＢＳ信号より遅れて出力されるように遅延回路２１により遅延され、スイッチ２２および２４によりハイパスフィルタ２３を通してＬ−Ｒアンプ１３に出力される。このとき、ローパスフィルタ４２により取り出される低周波成分より高い周波数成分の音声信号がハイパスフィルタ２３によりＬｃｈ信号から取り出される。
【００２７】
また、入力されたＲｃｈ信号が遅延回路２１により遅延された同時刻のＬｃｈ信号と同時にＬ−Ｒアンプ１３に出力されるように遅延回路３１により遅延され、スイッチ３２および３４によりハイパスフィルタ３３を通してＬ−Ｒアンプ１３に出力される。このとき、ローパスフィルタ４２により取り出される低周波成分より高い周波数成分の音声信号がハイパスフィルタ３３によりＲｃｈ信号から取り出される。なお、前述のように、遅延回路２１および３１の遅延時間は、操作表示部１６の操作により調整することができる。
【００２８】
ＤＳＰ１２により出力されたＬｃｈおよびＲｃｈ信号は、Ｌ−Ｒアンプ１３により増幅され、ＤＳＰ１２により出力されたＭＢＳ信号は、ＭＢＳアンプ１４に増幅され、それぞれジャック１５に出力される。ＬｃｈおよびＲｃｈ信号は、同時刻のＭＢＳ信号に対しそれぞれの遅延回路２１および３１により遅延された分、遅れて出力される。ＬｃｈおよびＲｃｈ信号は、ジャック１５に接続されたヘッドホン５０のプラグ５１を通してＬｃｈスピーカ５２およびＲｃｈスピーカ５３に出力され、ステレオ音声として音声出力され、ＭＢＳ信号は、ジャック１５に接続されたヘッドホン５０のプラグ５１を通してトランスデューサ５４に出力され、機械的振動に変換されて出力される。
【００２９】
これにより、ＬｃｈおよびＲｃｈ信号は、ＭＢＳ信号より遅れてヘッドホン５０から出力されるが、この音声再生装置の使用者には、ＬｃｈおよびＲｃｈ信号に基づく音声とＭＢＳ信号に基づく振動とが同じタイミングで一致して感じられる。
【００３０】
そして、ＭＢＳ電池１８の寿命によりその出力電圧が所定のしきい値より小さくなると、ＣＰＵ１１によりＭＢＳ電池１８による電源の供給が停止され、動作モードが体感モードから通常モードに切り換えられ、操作表示部１６により前記モード情報および前記電池交換情報が表示される。
【００３１】
図７は、実施例１の音声再生装置の使用例を示す図である。
本体１およびケーシング２からなる音声再生装置にヘッドホン５０を接続する。図７（ａ）は、ヘッドホン５０のトランスデューサ５４を衣服の肩パッド８１に収納した例である。また、図７（ｂ）は、ヘッドホン５０のトランスデューサ５４を枕８２に収納した例である。図７（ｃ）は、ヘッドホン５０のトランスデューサ５４をクッション８３に収納した例である。いずれの例においても、使用者は、高音の音声とともに、低音の振動により音楽等を体感し楽しむことができる。
【００３２】
このように、実施例１の音声再生装置によれば、記録メディア３０から読み出され、再生されたＬｃｈおよびＲｃｈ信号を同時刻のＭＢＳ信号に対しそれぞれの遅延回路２１および３１により遅延させて出力する。したがって、高音の音声と低音の振動とが使用者には同じタイミングで伝わるように感じられるので、いっそう臨場感のある快適な音声信号を再生することができる。
【００３３】
また、遅延回路２１および３１の遅延時間を操作表示部１６により調整する。したがって、トランスデューサ５４の振動が人に伝わる時間を考慮して遅延時間を調整することができるので、トランスデューサ５４の使用方法、言い換えれば、トランスデューサ５４と人との間の距離間の違いに応じて、音声と振動とが最もタイムング良く一致して感じられるように遅延時間を調整することができる。
【００３４】
また、本体１に着脱自在に装着されるケーシング２にＭＢＳ電池１８を設ける。体感モードを使用すると、消費電力が増えてしまい、主電池１７だけだと主電池１７の交換ないし充電が頻繁になってしまう。これに対し、実施例１では、ＭＢＳ電池１８を体感モードで使用するので、主電池１７の交換回数を減らすことができる。また、ＭＢＳ電池１８は、ケーシング２に設けられるので、交換が容易であり、必要に応じてケーシング２を本体１に装着し、体感モードを楽しむことができる。使用者は、ケーシング２を本体１のオプション部品として購入することができる。
【００３５】
また、操作表示部１６の操作によりＬ−Ｒアンプ１３およびＭＢＳアンプ１４のゲインをそれぞれ調整する。したがって、使用者の好みに合わせて出力される音声および振動の大きさをそれぞれ調整することができる。また、電車内等の混雑した場所で音声再生装置を使用する場合には、音量の上げ過ぎによる音漏れの低減が期待される。
【００３６】
また、ＤＳＰ１２にハイパスフィルタ２３および３３を設け、ローパスフィルタ４２により取り出される低周波成分より高い周波数成分の音声信号をＬｃｈおよびＲｃｈ信号から取り出して出力する。したがって、高音の音声と低音の振動とを明確に分離して音声再生装置から出力することができるので、使用者は低音の振動をいっそうクリアに体感することができる。
【００３７】
なお、体感モードが選択された場合であっても、ハイパスフィルタ２３および３３を使用するかどうかを操作表示部１６に選択し、ＤＳＰ１２のスイッチ２２、２４、３２および３４を切り換えるように構成すれば、低周波成分を含まない音声と低周波成分を含む音声との２種類の体感モードを使用者が楽しむことができる。
【００３８】
ＤＳＰ１２では、Ｌｃｈ信号を遅延回路２１により遅延させた後、後段のスイッチ２２に出力し、Ｒｃｈ信号を遅延回路３１により遅延させた後、後段のスイッチ２３に出力するように構成しているが、スイッチ２４の後段に遅延回路２１を設け、スイッチ３４の後段に遅延回路３１を設けるように構成してもよい。言い換えれば、遅延回路２１およびハイパスフィルタ２３の処理はどちらが先でも良く、遅延回路３１およびハイパスフィルタ３３の処理はどちらが先でも良い。
【００３９】
また、ＤＳＰ１２では、加算器４１により加算されたＬｃｈおよびＲｃｈ信号からローパスフィルタ４２により低周波成分の音声信号を取り出し、ＭＢＳアンプ１４に出力するように構成しているが、低周波成分の音声信号を取り出し方法は、これに限るものではない。例えば、ＬｃｈおよびＲｃｈ信号のそれぞれの低周波成分の音声信号を取り出し、２つの音声信号を出力するように構成することができる。
【００４０】
図８、図９および図１０は、実施例１の音声再生装置の変形例を示す図である。
図８に示すように、この変形例の音声再生装置は、本体１０１と、本体１０２に着脱自在に装着されるケーシング１０２とからなる。ケーシング１０２には、ＭＢＳ電池１８およびＭＢＳアンプ１４が設けられ、本体１０１には、ＭＢＳアンプ１４がない。すなわち、第１の変形例の音声再生装置は、図１に示される実施例１の音声再生装置の本体１に設けられたＭＢＳアンプ１４をケーシング２に設けたものである。この場合、図１に示される本体１に比べ、本体１０１の構成を簡単にすることができる。
【００４１】
図９に示すように、この変形例の音声再生装置は、本体１１１と、本体１１１に着脱自在に装着されるケーシング（アダプタ）１１２とからなる。ケーシング１１２には、ＭＢＳ電池１８、ＭＢＳアンプ１４およびＤＳＰ２０２が設けられ、本体１１１には、ＤＳＰ２０１が設けられている。
【００４２】
ＤＳＰ２０１は、図１に示されるＤＳＰ１２のうち、図２に示されずに省略された従来の信号処理回路の部分の機能を有する。ＤＳＰ２０２は、図１に示されるＤＳＰ１２のうち、図２に示される要部（遅延回路２１、スイッチ２２、ハイパスフィルタ２３、スイッチ２４、遅延回路３１、スイッチ３２、ハイパスフィルタ３３、スイッチ３４、加算器４１およびローパスフィルタ４２）の部分の機能を有する。この場合、本体１１１の構成を従来の音声再生装置と同様の構成にすることができる。
【００４３】
なお、図９では、図２に示されるＤＳＰ１２の要部の全部の機能をＤＳＰ２０２により実現するように構成しているが、一部の機能をＤＳＰ２０１により実現するように構成してもよい。
【００４４】
図１０に示すように、この変形例の音声再生装置は、本体１２１と、本体１２１に着脱自在に装着されるケーシング（アダプタ）１２２とからなる。ケーシング１２２には、ＭＢＳ電池１８、ＭＢＳアンプ１４、ＤＳＰ２０２、Ｌ−Ｒアンプ１３およびジャック１５が設けられ、本体１２１には、ＤＳＰ２０１が設けられている。ＤＳＰ２０１およびＤＳＰ２０２は、図９に示されるＤＳＰ２０１およびＤＳＰ２０２と同様であり、その説明を省略する。
【００４５】
この場合、本体１２１を従来の音声再生装置と同様の構成とすることができる。そして、通常モードの音声信号を本体１２１のジャック１５を通して出力し、体感モードの音声信号をケーシング１２２のジャック１５を通して出力することができる。このため、通常モードおよび体感モードのいずれか一方の動作モードを選択するモード選択手段を設ける必要がない。さらに、通常モードおよび体感モードのそれぞれの再生出力を２人で聴くことも可能である。
【００４６】
本発明の音声再生装置は、特に、携帯型のラジオ受信機、ＣＤプレーヤ、ＭＤプレーヤ、カセットテープレコーダ、ＨＤＤオーディオレコーダ、シリコンオーディオプレーヤ等に好適である。
【図面の簡単な説明】
【００４７】
【図１】実施例１の音声再生装置の概略構成を示す図である。
【図２】ＤＳＰの要部構成を示す図である。
【図３】ヘッドホンの構成を示す図である。
【図４】プラグの構成を示す図である。
【図５】トランスデューサの構成を示す図である。
【図６】トランスデューサの等価回路および周波数特性を示す図である。
【図７】実施例１の音声再生装置の使用例を示す図である。
【図８】実施例１の音声再生装置の変形例を示す図である。
【図９】実施例１の音声再生装置の変形例を示す図である。
【図１０】実施例１の音声再生装置の変形例を示す図である。
【符号の説明】
【００４８】
１……本体、２……ケーシング、３……記録メディア、１０……信号処理ＩＣ、１１……ＣＰＵ、１２……ＤＳＰ、１３……Ｌ−Ｒアンプ、１４……ＭＢＳアンプ、１５……ジャック、１６……操作表示部、１７……主電池、１８……ＭＢＳ電池、２１……遅延回路、２３……ハイパスフィルタ、３１……遅延回路、３３……ハイパスフィルタ、４１……加算器、４２……ローパスフィルタ。
【図１】
2006033591.tif 000003
【図２】
2006033591.tif 000004
【図３】
2006033591.tif 000005
【図４】
2006033591.tif 000006
【図５】
2006033591.tif 000007
【図６】
2006033591.tif 000008
【図７】
2006033591.tif 000009
【図８】
2006033591.tif 000010
【図９】
2006033591.tif 000011
【図１０】
2006033591.tif 000012